(57)【要約】【課題】  複数のケーブルの芯線と複数のコンタクトとがそれぞれ確実に結線し、構造が堅牢で、しかも、コンパクトに構成される圧接結線型のコネクタを提供する。【解決手段】  コネクタ１は、複数のコンタクト３と、各コンタクトを保持するハウジング２と、各コンタクトを操作するアクチュエータ４と、複数の同軸ケーブル１６を保持するアライメントインシュレータ１１とを有する。各コンタクトは、各ケーブルと結線する刃状部３ａと、アクチュエータのカム部４ａに操作される被操作部３ｂと、弾性変形可能な連結部３ｃと、刃受け部３ｅ等とを有する。アライメントインシュレータをハウジングの収容部２ｅに収容し、各ケーブルの誘電体１８及び芯線１９を各コンタクトの刃状部と刃受け部に対向させる。アクチュエータを操作すると、各コンタクトの刃状部が各ケーブルの誘電体を突き破って、各ケーブルと各コンタクトとは結線する。【選択図】  図１
2006324032.tif 000002
【特許請求の範囲】
【請求項１】
複数のケーブルと接続するコネクタにおいて、
前記コネクタは、複数のコンタクトと、前記各コンタクトを保持するハウジングと、前記各コンタクトを操作するアクチュエータと、前記各ケーブルを保持するアライメントインシュレータとを有し、
前記各コンタクトは、前記各ケーブルと結線する刃状部と、前記アクチュエータのカム部に操作される被操作部とを有し、
前記ハウジングは、前記アライメントインシュレータの少なくとも一部を収容する収容部を有し、
前記アライメントインシュレータは、前記各ケーブルの誘電体及び芯線を整列保持する整列保持部を有し、
前記アライメントインシュレータを前記ハウジングの収容部に収容し、前記各ケーブルの誘電体及び芯線を前記各コンタクトの刃状部に対向させ、前記アクチュエータを操作することにより、前記各コンタクトの刃状部が前記各ケーブルの誘電体を突き破って、前記各ケーブルと前記各コンタクトとを結線することを特徴とする圧接結線型のコネクタ。
【請求項２】
前記アライメントインシュレータは前記各ケーブルの外部導体に固定されるグラウンドバーを有し、前記アライメントインシュレータを前記ハウジングの収容部に収容するとき、前記グラウンドバーが前記ハウジングに当接することにより、前記各ケーブルが前記ハウジングにおける所定位置に配置されることを特徴とする請求項１記載の圧接結線型のコネクタ。
【請求項３】
前記各コンタクトは前記刃状部に対向する位置に刃受け部を有し、前記各ケーブルの誘電体及び芯線を前記刃状部と前記刃受け部との間に配置することを特徴とする請求項１記載の圧接結線型のコネクタ。
【発明の詳細な説明】
【技術分野】
【０００１】
本発明は、複数のケーブルと接続するコネクタに関し、詳しく述べると、複数のケーブルの芯線とそれぞれ圧接結線する複数のコンタクトを有するコネクタに関する。
【背景技術】
【０００２】
従来の圧接結線型のコネクタについて説明する（例えば、特許文献１参照。）。
【０００３】
図６において、絶縁材料製のハウジング３１は、左半分が上方に向け開口した開口部３１ａを有している。ハウジング３１には、紙面に直角な方向で複数位置に等ピッチでコンタクト３２を収容保持する紙面に平行に延びる保持溝３１ｂが形成されている。各保持溝３１ｂは、右方に開口している。これらの複数の保持溝３１ｂは、左方で開口部３１ａに連通している。又、ハウジング３１には、紙面に対し直角な方向での両端部にて右方へ延出し、相手コネクタと嵌合するガイドピン３１ｃを有している。
【０００４】
各コンタクト３２は、金属板に打ち抜き等の加工を施してその平面を保ったまま形作られており、図６にも見られるように、同一平面でほぼ平行に左方へ延びる第一腕状部３３と第二腕状部３４、そして右方へ延びる相手コネクタの接触子と接続する接続部３５とを有している。
【０００５】
第二腕状部３４に対して図６にて下方に位置する第一腕状部３３は、その先端部に結線部となる刃状部３３ａを有している。刃状部３３ａは、図６において上方に鋭い三角形をなしていて、コンタクト３２が金属板から作られていることを利用して、刃状部３３ａの尖端をなす刃縁は紙面に直角方向、すなわちケーブルの長手方向に対して直角方向（コンタクト３２の板厚方向）に延びている。この刃縁の長さ、すなわちコンタクト３２の板厚は、同軸ケーブルＣの直径にほぼ等しい。
【０００６】
第二腕状部３４は、先端部に上縁側で凹状そして下縁側で凸状をなし互に同心の円弧状の部分で形成された上案内面３６ａそして下案内面３６ｂを備えた回動案内部３６を有している。又、第二腕状部３４の中間部下縁には、係止突起３７が設けられている。
【０００７】
コンタクト３２は、紙面に直角方向に等ピッチでハウジング３１に形成された複数の保持溝３１ｂへ保持溝３１ｂの右方開口から所定位置まで挿入され、係止突起３７のハウジング３１との係止により抜けが防止される。
【０００８】
ハウジング３１の上方に開放された開放部３１ａには、紙面に直角な方向に延びる蓋状の加圧部材３８が配設されている。加圧部材３８は、ハウジング３１と同様に絶縁材料から作られていて加圧部３９を有し、加圧部３９は、加圧部材３８の角部として形成されている。
【０００９】
加圧部材３８には、図６にて紙面に平行な面で拡がるスリット状の溝４０が、紙面に直角な方向においてコンタクト３２の回動案内部３６と対応する複数位置に形成されている。溝４０には、コンタクト３２側の位置に、加圧部３９が所定の回動位置にまで回動したときに、上下の位置関係を有する上内縁４０ａ、下内縁４０ｂを有していて、両者が回動被案内部を構成している。上内縁４０ａはコンタクト３２の凹状の上案内面３６ａと適合する凸円弧状をなし、これに対向する下内縁４０ｂは直線状をなしている。そして上内縁４０ａは上案内面３６ａと、下内縁４０ｂは下案内面３６ｂと、それぞれ摺動可能に接している。
【００１０】
加圧部材３８の回動中心を成す上内縁４０ａの中心と下内縁４０ｂのコンタクト３２の側端部とを結んで得られる線の近傍に、加圧部材３８の角部を成す加圧部３９が位置している。したがって、図６に示す加圧部材３８の開放位置にあっては、コンタクト３２の回動案内部３６の下側には加圧部材３８のいかなる部分も存在していない。
【００１１】
上記ハウジング３１の保持溝３１ｂは、コンタクト３２の第一腕状部３３を保持する部分、特に結線部となる刃状部３３ａを保持する部分にあっては上方に開放された収容溝３１ｄを形成している（図７をも参照）。収容溝３１ｄは、図７に見られるように刃状部３３ａを収容しても同軸ケーブルＣを部分的に収容できる空間を収容溝３１ｄの上部に残している。
【００１２】
同軸ケーブルＣは、コネクタに次の要領により結線される。
【００１３】
まず、図６及び図７に示すように、加圧部材３８を上方へ向け回転して開放位置にもたらし、ハウジング３１の開口部を大きく開放し、ここから各同軸ケーブルＣを収容溝３１ｄ内へ挿入しコンタクト３２の刃状部３３ａの上にもたらす。このとき、同軸ケーブルＣの上部は、図７のごとく上記収容溝３１ｄから上方に突出している。
【００１４】
この後、図８（Ａ）の状態を経て図８（Ｂ）に示すように加圧部材３８を下方に回動する。すると、図６において、加圧部材３８は、回動に伴い下内縁４０ｂがコンタクト３２の下案内面３６ｂに案内されてハウジング３１の開口部３１ａの奥部方向に移動し、これと共に加圧部３９が複数の同軸ケーブルＣに当接するようになり、コンタクト３２の刃状部３３ａとハウジング３１で支持されている上記同軸ケーブルＣを下方に圧する。その結果、各同軸ケーブルＣの被覆を刃状部３３ａの刃縁が突き破って芯線Ｃ１と接触するようになる（図９参照）。なお、加圧部材３８は、ハウジング３１の開口部３１ａの奥部方向へスライド移動してもよい。
【００１５】
刃状部３３ａの刃縁が同軸ケーブルＣの被覆を突き破る際、刃縁は既述したように同軸ケーブルＣとは直交する方向にほぼ同軸ケーブルＣの直径に相当する長さで延びており、芯線と交差するようにして接触する。又、同軸ケーブルＣは刃状部３３ａと共に同じ収容溝３１ｄ内にあり、しかも収容溝３１ｄの内幅がコンタクト３２や同軸ケーブルＣの直径とほぼ同じ寸法となっているため、同軸ケーブルＣが刃縁の位置からずれてしまうこともない。
【００１６】
このように同軸ケーブルＣが圧接結線されたコネクタは、相手コネクタと接続される。すなわち、図６において、ガイドピン３１ｃが相手コネクタ（図示せず）のハウジングのガイド孔に案内挿入されて両コネクタが所定位置関係にもたらされた後に、コンタクト３２の接続部３５が相手コネクタのコンタクトと接続される。
【００１７】
【特許文献１】特許第３２９７３９０号公報（第３頁第６欄第１行〜第４頁第８欄第４０行、図１〜４）
【発明の開示】
【発明が解決しようとする課題】
【００１８】
前記従来の圧接結線型のコネクタでは、加圧部材（アクチュエータ）３８の加圧部３９が各同軸ケーブルＣを各コンタクト３２の刃状部３３ａに押圧することにより、各刃状部３３ａは各同軸ケーブルＣの被覆を突き破って各芯線Ｃ１と接触する。したがって、このコネクタは、次の欠点を有する。
【００１９】
１．アクチュエータが直接各同軸ケーブルを押圧するので、各同軸ケーブルの芯線は、各コンタクトと確実には圧接結線し難い。
【００２０】
２．アクチュエータの加圧部が各同軸ケーブルを押圧するので、構造の堅牢性は乏しい。
【００２１】
３．アクチュエータがコンタクトの第二腕状部３４を支点として回転するので、コネクタはコンパクトに構成されない。
【００２２】
そこで、本発明は、前記従来のコネクタの欠点を改良し、複数のケーブルの芯線と複数のコンタクトとがそれぞれ確実に結線し、構造が堅牢で、しかも、コンパクトに構成される圧接結線型のコネクタを提供しようとするものである。
【課題を解決するための手段】
【００２３】
本発明は、前記課題を解決するため、次の手段を採用する。
【００２４】
１．複数のケーブルと接続するコネクタにおいて、前記コネクタは、複数のコンタクトと、前記各コンタクトを保持するハウジングと、前記各コンタクトを操作するアクチュエータと、前記各ケーブルを保持するアライメントインシュレータとを有し、前記各コンタクトは、前記各ケーブルと結線する刃状部と、前記アクチュエータのカム部に操作される被操作部とを有し、前記ハウジングは、前記アライメントインシュレータの少なくとも一部を収容する収容部を有し、前記アライメントインシュレータは、前記各ケーブルの誘電体及び芯線を整列保持する整列保持部を有し、前記アライメントインシュレータを前記ハウジングの収容部に収容し、前記各ケーブルの誘電体及び芯線を前記各コンタクトの刃状部に対向させ、前記アクチュエータを操作することにより、前記各コンタクトの刃状部が前記各ケーブルの誘電体を突き破って、前記各ケーブルと前記各コンタクトとを結線する圧接結線型のコネクタ。
【００２５】
２．前記アライメントインシュレータは前記各ケーブルの外部導体に固定されるグラウンドバーを有し、前記アライメントインシュレータを前記ハウジングの収容部に収容するとき、前記グラウンドバーが前記ハウジングに当接することにより、前記各ケーブルが前記ハウジングにおける所定位置に配置される前記１記載の圧接結線型のコネクタ。
【００２６】
３．前記各コンタクトは前記刃状部に対向する位置に刃受け部を有し、前記各ケーブルの誘電体及び芯線を前記刃状部と前記刃受け部との間に配置する前記１記載の圧接結線型のコネクタ。
【発明の効果】
【００２７】
明細書の説明から明らかなように、本発明は、次の効果を奏する。
【００２８】
１．アクチュエータのカム部が複数のコンタクトの被操作部を操作し、各コンタクトの刃状部が複数のケーブルの誘電体を突き破って各ケーブルの芯線と確実に圧接結線する。
【００２９】
２．各コンタクトの刃状部と刃状部に対向して位置する刃受け部との間に、各ケーブルの誘電体及び芯線を配置して圧接結線するので、構造が堅牢である。
【００３０】
３．各コンタクトは、各ケーブルと結線する刃状部と、アクチュエータのカム部に操作される被操作部とを有するので、コネクタはコンパクトに構成される。
【００３１】
４．アライメントインシュレータは各ケーブルの外部導体に固定されるグラウンドバーを有し、アライメントインシュレータをハウジングの収容部に収容するとき、グラウンドバーがハウジングに当接するので、各ケーブルはハウジングに適切に位置決めされる。
【発明を実施するための最良の形態】
【００３２】
本発明の一実施例の圧接結線型のコネクタについて説明する。
【実施例１】
【００３３】
本発明の実施例１のコネクタ１について図１〜図５を参照して説明する。
【００３４】
図１は、複数の同軸ケーブル１６が保持されているアライメントインシュレータ１１と、複数のコンタクト３とアクチュエータ４が組み込まれているハウジング２とが、分離されている状態のコネクタ１の断面図である。
【００３５】
アライメントインシュレータ１１は、ピッチ方向（紙面に直交する方向）を絶縁壁１１ａにより仕切られて構成されるくし歯部（各同軸ケーブルの誘電体及び芯線の整列保持部）を有する。アライメントインシュレータ１１の下面には、くし歯部の開口面１１ｂが形成されている。アライメントインシュレータ１１に保持されている各同軸ケーブル１６の先端部における圧接に必要な範囲については、外部導体１７を予め除去して誘電体１８を露出する。各誘電体１８は、芯線１９を被覆する。各外部導体１７には、グラウンドバー２０が半田等により結線されている。
【００３６】
ハウジング２には、複数のコンタクト３が紙面と直交する方向に保持されている。各コンタクト３は、ケーブル結線用の刃状部３ａと、アクチュエータ４により操作される被操作部３ｂと、弾性変形可能な連結部３ｃと、ハウジング２に固定される被固定部３ｄと、被固定部３ｄに連続し、かつ、刃状部３ａを受ける刃受け部３ｅと、相手コネクタ接続用端子部３ｆとから一体に構成される。
【００３７】
刃状部３ａからの延長部３ａ１と被操作部３ｂからの延長部３ｂ１とは、連結部３ｃの一端と連続する。刃受け部３ｅからの延長部３ｅ１と相手コネクタ接続用端子部３ｆからの延長部３ｆ１とは、連結部３ｃの他端と連続する。
【００３８】
また、ハウジング２の中央付近には、各同軸ケーブル１６用の各挿入穴２ａが開けられ、各挿入穴２ａの外側に各同軸ケーブル１６の挿入方向と平行に平面２ｂが形成されている。更に、ハウジング２の底部付近には、各コンタクト３の被固定部３ｄを挿入される固定穴２ｃが開けられている。
【００３９】
更に、ハウジング２の挿入穴２ａが開けられている側とは反対側に、アクチュエータ４が回転可能に設置されている。アクチュエータ４は、カム部４ａを中心として図１の位置から９０°右回転することができる。
【００４０】
次に、図２に示されるように、アライメントインシュレータ１１のくし歯部の開口面１１ｂがハウジング２の平面２ｂに搭載するように、アライメントインシュレータ１１をハウジング２に装着する。
【００４１】
続いて、図３に示されるように、各同軸ケーブル１６を各挿入穴２ａからハウジング２内に挿入し、各同軸ケーブル１６の先端部を、コンタクト３の刃状部３ａと刃受け部３ｅとの間に配置させる。この際、グラウンドバー２０が各外部導体１７に固定されているので、グラウンドバー２０の先端（被位置決め部）２０ａがハウジング２の位置決め部２ｄに当接するまで、グラウンドバー２０を各挿入穴２ａの方向にスライドさせることにより、前述の操作を行う。
【００４２】
最後に、図４に示されるように、アクチュエータ４を２点鎖線の位置から実線の位置まで矢印方向に９０°右回転すると、カム部４ａは各コンタクト３の被操作部３ｂを押し上げる。すると、各コンタクト３の連結部３ｃが弾性変形することにより、各刃状部３ａは各同軸ケーブル１６の誘電体１８を突き破る。したがって、各芯線１９は各コンタクト３の刃状部３ａと刃受け部３ｅとの間に挟持されるので、各同軸ケーブル１６は各コンタクト３と圧接結線される。
【００４３】
図５（Ａ）は、コネクタ１の分解斜視図である。図５（Ｂ）〜（Ｅ）は、コネクタ１の組立工程の斜視図を順次示す。（Ｂ）は、複数の同軸ケーブル１６が保持されているアライメントインシュレータ１１が、複数のコンタクト３とアクチュエータ４が組み込まれているハウジング２に、装着される直前の状態である。（Ｃ）は、装着される途中の状態である。（Ｄ）は、装着完了の状態である。（Ｅ）は、各同軸ケーブル１６が各コンタクト３と圧接結線された状態である。
【００４４】
本実施例１では、アライメントインシュレータ１１の一部がハウジング２の収容部２ｅに収容されるが、アライメントインシュレータ１１の全部が収容部２ｅに収容されるように設計変更することができる。
【図面の簡単な説明】
【００４５】
【図１】本発明の実施例１の圧接結線型のコネクタの断面図であり、複数の同軸ケーブルが保持されているアライメントインシュレータが、複数のコンタクトとアクチュエータが組み込まれているハウジングに、装着される直前の状態を示す。
【図２】同コネクタの装着される途中の状態を示す。
【図３】同コネクタの装着完了の状態を示す。
【図４】同コネクタの同各同軸ケーブルが同各コンタクトと圧接結線された状態を示す。
【図５】同コネクタの諸斜視図であり、（Ａ）は分解斜視図、（Ｂ）は図１と同様の装着される直前の状態の斜視図、（Ｃ）は図２と同様の装着される途中の状態の斜視図、（Ｄ）は図３と同様の装着完了の状態の斜視図、（Ｅ）は図４と同様の同各同軸ケーブルが同各コンタクトと圧接結線された状態の斜視図を、それぞれ示す。
【図６】従来の圧接結線型のコネクタの断面図であり、複数の同軸ケーブルが複数のコンタクトと圧接結線される前の状態を示す。
【図７】図６における線Ａ−Ａによる断面図である。
【図８】（Ａ）は同コネクタの圧接結線の途中の状態の断面図であり、（Ｂ）は同コネクタの圧接結線された状態の断面図である。
【図９】図８（Ｂ）における要部の断面図である。
【符号の説明】
【００４６】
１  コネクタ（圧接結線型のコネクタ）
２  ハウジング
２ａ  挿入穴
２ｂ  平面
２ｃ  固定穴
２ｄ  位置決め部
２ｅ  収容部
３  コンタクト
３ａ  刃状部
３ａ１  延長部
３ｂ  被操作部
３ｂ１  延長部
３ｃ  連結部
３ｄ  被固定部
３ｅ  刃受け部
３ｅ１  延長部
３ｆ  相手コネクタ接続用端子部
３ｆ１  延長部
４  アクチュエータ
４ａ  カム部
１１  アライメントインシュレータ
１１ａ  絶縁壁
１１ｂ  くし歯部（各同軸ケーブルの誘電体及び芯線の整列保持部）の開口面
１６  同軸ケーブル
１７  外部導体
１８  誘電体
１９  芯線
２０  グラウンドバー
２０ａ  先端（被位置決め部）
【図１】
2006324032.tif 000003
【図２】
2006324032.tif 000004
【図３】
2006324032.tif 000005
【図４】
2006324032.tif 000006
【図５】
2006324032.tif 000007
【図６】
2006324032.tif 000008
【図７】
2006324032.tif 000009
【図８】
2006324032.tif 000010
【図９】
2006324032.tif 000011